(57)【要約】【課題】躯体への影響が少なく、賃貸住宅・マンションでも後付けで遮蔽装置を取り付けることができる取付構造を提供する。【解決手段】遮蔽装置は、当該遮蔽装置を開口枠に設けたベースフレームに取り付けるための取付用ブラケットを備えており、ベースフレームは、開口枠に沿って延出する水平状の装着片１０と、開口枠の隅部に段部を形成するように前記装着片に対して偏倚する水平片１２１と、を有し、ベースフレームは、水平片１２１が開口枠に対して離間することで開口枠の隅部に取付用ブラケットを受け入れる空間を形成するように装着片１０において開口枠に取り付けられている。取付用ブラケットは、水平片１２１側から螺入する螺子８２１によって水平片１２１に固定されており、螺子８２１の軸部の先端は開口枠には達していない。【選択図】図５
2010077730.tif 000002
【特許請求の範囲】
【請求項１】
窓開口部への遮蔽装置の取付構造において、
前記遮蔽装置は、当該遮蔽装置を開口枠に設けたベースフレームに取り付けるための取付用ブラケットを備えており、
前記ベースフレームは、開口枠に沿って延出する水平状の装着片と、開口枠の隅部に段部を形成するように前記装着片に対して偏倚する水平片と、を有し、
前記ベースフレームは、前記水平片が開口枠に対して離間することで開口枠の隅部に前記取付用ブラケットを受け入れる空間を形成するように前記装着片において開口枠に取り付けられており、
前記空間に受け入れられた前記取付用ブラケットは、前記水平片側から螺入する螺子によって前記水平片に固定されており、かつ、前記螺子の軸部の先端は前記開口枠には達していない、
窓開口部への遮蔽装置の取付構造。
【請求項２】
前記ベースフレームは、前記装着片と前記水平片とを備えた第１部材と、水平片を備えた第２部材と、からなり、
前記取付用ブラケットは、前記第１部材の前記水平片と前記第２部材の前記水平片との間に挟持されている、請求項１に記載の窓開口部への遮蔽装置の取付構造。
【請求項３】
前記開口枠には窓サッシ枠が複数の螺子を用いて取り付けられており、
前記ベースフレームの前記装着片には前記螺子を挿通させるスリットないし長孔が形成されており、
前記ベースフレームは前記螺子を兼用して前記開口枠に取り付けられる、
請求項１、２いずれかに記載の窓開口部への遮蔽装置の取付構造。
【発明の詳細な説明】
【技術分野】
【０００１】
本発明は、窓開口部への遮蔽装置の取付構造に関するものである。本明細書において、遮蔽装置には、ブラインド、網戸、シェード、スクリーン、カーテン等の窓障子に併設して設置され得るあらゆる遮蔽装置が含まれる。
【背景技術】
【０００２】
窓開口部において、窓障子に加えて、ブラインドや網戸等の遮蔽装置を取り付けたい場合がある。従来、窓開口部の開口枠（額縁を含む）に遮蔽装置を取り付ける場合には、躯体（開口枠）に直接螺子を打ち込むことで、当該遮蔽装置の取付用部材を取り付ける方法が一般的である。
【０００３】
また、この取付方法では、躯体（開口枠）に螺子用の孔開けを要することから、近年賃貸住宅・マンションが増加する傾向にあることに鑑みると、躯体に傷跡を残すような従来の取り付けを行なうことは難しくなってきている。
【０００４】
特許文献１には、ブラインド等の部品取付装置及び部品取付方法が開示されているが、被取付部（開口枠）にマーキングとしての押し付け跡を設けてビスを止着するものであり、やはり、被取付部（開口枠）に傷跡を残すことになってしまう。
【特許文献１】特開２００２−１４７１４４
【発明の開示】
【発明が解決しようとする課題】
【０００５】
本発明は、窓開口部に遮蔽装置を取り付けるにあたって、当該遮蔽装置の取付用部材を螺子等を用いて躯体（開口枠）に直接取り付けることなく、躯体への影響が少ない取付構造を提供することを目的とするものである。
また、本発明は、躯体への影響が少なく、賃貸住宅・マンションでも後付けで遮蔽装置を取り付けることができる取付構造を提供することを目的とする。
【課題を解決するための手段】
【０００６】
本発明は、窓開口部への遮蔽装置の取付構造において、
前記遮蔽装置は、当該遮蔽装置を開口枠に設けたベースフレームに取り付けるための取付用ブラケットを備えており、
前記ベースフレームは、開口枠に沿って延出する水平状の装着片と、開口枠の隅部に段部を形成するように前記装着片に対して偏倚する水平片と、を有し、
前記ベースフレームは、前記水平片が開口枠に対して離間することで開口枠の隅部に前記取付用ブラケットを受け入れる空間を形成するように前記装着片において開口枠に取り付けられており、
前記空間に受け入れられた前記取付用ブラケットは、前記水平片側から螺入する螺子によって前記水平片に固定されており、かつ、前記螺子の軸部の先端は前記開口枠には達していない、
窓開口部への遮蔽装置の取付構造、である。
【０００７】
取付用ブラケットを受け入れる空間が形成される開口枠の隅部は、遮蔽装置の構成によって異なる。
例えば、上方から下方に向かって引き出される遮蔽装置においては、少なくとも、四周枠状の開口枠の上側の左右両端の隅部に空間が形成され、当該空間に、例えば、収納ボックスの長さ方向の両端に設けた取付用ブラケットが受け入れられて支持される。
また、横方向に引き出される遮蔽装置においては、少なくとも、四周枠状の開口枠の一方の側部の上下両端の隅部に空間が形成され、当該空間に、例えば、巻取体の上下両端に設けた取付用ブラケットが受け入れられて支持される。
後述する実施形態では、前記ベースフレームは、第１部材と第２部材とからなるが、第２部材を設けることは有利ではあるものの、第２部材は必須構成要素ではない。例えば、取付用ブラケット自体にタッピングを施して雌ねじを形成しておくことで、前記水平片と前記取付用ブラケットを直接螺子で結合することもできる。
【０００８】
１つの態様では、前記ベースフレームは、前記装着片と前記水平片とを備えた第１部材と、水平片を備えた第２部材と、からなり、
前記取付用ブラケットは、前記第１部材の前記水平片と前記第２部材の前記水平片との間に挟持されている。
この態様において、１つの形態では、前記螺子の軸部の先端は、前記第２部材の前記水平片の厚さ内にまで達している。
【０００９】
１つの態様では、前記開口枠には窓サッシ枠が複数の螺子を用いて取り付けられており、
前記ベースフレームの前記装着片には前記螺子を挿通させるスリットないし長孔が形成されており、
前記ベースフレームは前記螺子を兼用して前記開口枠に取り付けられる。
【発明の効果】
【００１０】
本発明では、遮蔽装置の取付用ブラケットを、ベースフレームにより開口枠の隅部に形成される空間に受け入れて、当該空間内のみで延出する螺子（開口枠には達しない）によって支持するようにしたので、取付用ブラケットを直接開口枠（躯体）に螺子等で固定することがなく、開口枠（躯体）への影響が少ない取付用ブラケットの取り付けが可能となる。
【００１１】
開口枠に窓サッシ枠が複数の螺子を用いて取り付けられており、前記ベースフレームを、前記螺子を兼用して前記開口枠に取り付けるものでは、既設の螺子孔を利用して前記ベースフレームを取り付けることができるので、開口枠（躯体）に螺子孔を新たに形成する必要がなく、開口枠（躯体）への影響が少ないと共に、賃貸住宅やマンションの窓開口部への遮蔽装置の後付けが可能となる。さらに、ベースフレームに前記螺子を挿通させるスリットないし長孔を形成しておくことで、既設の様々な異なる螺子のピッチに対応することができる。
【発明を実施するための最良の形態】
【００１２】
本実施形態は、サッシ窓７が取り付けられている窓開口部に対してロール網戸やロールブラインド等の遮蔽装置を後付けする場合の取付構造に関するものである。本実施形態の取付構造は、ベースフレームを用いるものであって、ベースフレームは、窓開口部における四周状の開口枠の所定の隅部に上記遮蔽装置の取付用ブラケットを受け入れて支持するための空間を形成するように、開口枠に取り付けられる。図１（Ｂ）、図２に示すように、１つの態様では、ベースフレームは、同一の形状・寸法を備えた４本の第１部材１と、同一の形状・寸法を備えた４本の第２部材２とかならなる。ベースフレームの構成、また、第１部材１、第２部材２の形状・寸法、個数は、これらに限定されるものではない。
【００１３】
第１部材１は、水平状に延出する第１片１０と、垂直状に延出する第２片１１と、段部１２と、を備えている。第１片１０の一端は自由端であると共に、第１片１０の他端側には段部１２が一体的に形成されており、第２片１１の一端は自由端であると共に、第２片１１の他端は第１片１０の他端側に一体形成された段部１２と一体的に連結されている。
【００１４】
段部１２は、垂直片１２０と水平片１２１とからなり、垂直片１２０が短尺片であり、水平片１２１は垂直片１２０に比べて長尺片である。垂直片１２０の一端は第１片１０の他端に連結されており、水平片１２１の一端は第２片１１の他端に連結されており、垂直片１２０の他端と水平片１２１の他端とが連結されている。
【００１５】
第２部材２は、垂直片２０と水平片２１とからなり、垂直片２０が短尺片であり、水平片２１は垂直片２０に比べて長尺片である。第２部材２の垂直片２０と段部１２の垂直片１２０、第２部材２の水平片２１と段部１２の水平片１２１とは、それぞれ同一の寸法を備えている。
【００１６】
開口枠への取付時には、第２部材２の水平片２１の自由端が段部１２の垂直片１２０の一端、第２部材２の垂直片２０の自由端が段部１２の水平片１２１の一端に、それぞれ近接ないし当接しており、第１部材１の段部１２と第２部材２との間に、正面視横長方形状の空間Ｓが形成される。この空間Ｓに遮蔽装置の取付用ブラケットが受け入れられて支持される。第１部材１の水平状に延出する第１片１０に対する段部１２の水平片１２１の偏移寸法（すなわち、図示の例では、段部１２の垂直片１２０の高さ寸法）は、第２部材２の水平片２１との間にブラケットを受け入れる空間を形成できるような寸法となっており、少なくとも、第２部材２の水平片２１の肉厚よりは大きい寸法である。
【００１７】
図２左図に示すように、第１部材１、第２部材２は、複数の螺子３を用いて開口枠（図２左図では開口枠は省略されている）に取り付けられる。第１部材１には長さ方向に沿って螺子３を挿通させるスリット１００が形成されている。より具体的には、図２右図に示すように、第１部材１の水平片１０、垂直片１１、段部１２の水平片１２１のそれぞれに長さ方向に延出するスリット１００が形成されている。図示の態様では、螺子３を挿通させるスリット１００を設けているが、スリットに代えて、例えば、複数の長孔を設けてもよい。第１部材１は、水平片１０及び垂直片１に形成されたスリット１００を挿通する螺子３を用いて開口枠に取り付けられる。第２部材２の水平片２１にも、長さ方向に延出する長孔２００が形成されている。第２部材２は、長孔２００を挿通する螺子３を用いて開口枠に取り付けられる。
【００１８】
窓開口部の開口枠には、サッシ窓７のサッシ枠が螺子を用いて取り付けられている。１つの好ましい態様では、サッシ枠を開口枠に取り付けるための螺子の一部を、第１部材１、第２部材２を開口枠に取り付けるための螺子に兼用する。すなわち、サッシ枠を開口枠に取り付けている螺子の一部を取り外し、この螺子を用いて、あるいは、同じ仕様の長めの螺子を別途用意して、第１部材１、第２部材２をサッシ枠の部分と共に開口枠に取り付ける。
【００１９】
図３は、第１部材１、第２部材２を、サッシ枠を開口枠に取り付けるための複数の螺子の一部の螺子３を用いて取り付けてなる窓開口部の１つの態様を示す部分縦断面図である。図３は窓開口部の上側部位のみを示しているが、開口枠は、上枠４、下枠、左右の縦枠からなる四周枠状に組まれており、サッシ枠も、上枠５、下枠、左右の縦枠からなる四周枠状に組まれている。また、開口枠には、上額縁４０、下額縁、左右の縦額縁から四周枠状に組まれた窓額縁が設けてあり、本明細書において、「開口枠」という用語は、窓額縁を含むものとして用いられる。図３の説明に戻ると、開口枠の上枠４には、サッシ枠の上枠５が螺子６を用いて固定されている。サッシ枠の上枠５には、上額縁４０の下面に沿って水平状に延出する水平片５０が延出形成されており、水平片５０の下面に第１部材１の第１片（図３では図示せず）、第２部材の水平片２１を当接させ、螺子３を用いて、第１部材１、第２部材２、サッシ枠の上枠５の水平片５０を上額縁４０に取り付ける。
【００２０】
すなわち、サッシ窓を備えた窓開口部に対して第１部材１、第２部材２を取り付ける場合には、サッシ枠の上枠５の水平片５０を上額縁４０に固定している螺子３を外して、水平片５０の下面に第１部材１の第１片、第２部材の水平片２１を当接させ、再び螺子３を用いて（あるいは長めの螺子に交換して）、第１部材１、第２部材２、サッシ枠の上枠５の水平片５０を上額縁４０に取り付ければよいので、既に上額縁４０に形成されている螺子孔を用いるので、新たに上額縁４０に螺子孔を形成する必要がない。開口枠の左右の縦枠および下枠においても、同様の構成で、共通の螺子３を用いて、第１部材１、第２部材２、サッシ枠が額縁に固定される。
【００２１】
次に、本発明の取付構造を用いて横引きロールブラインド８を後付けする場合について、図４乃至図９に基づいて詳細に説明する。横引きロールブラインド８は、遮蔽体８０（図９参照）と、収納時に遮蔽体８０を巻装する巻取体８１と、巻取体８１の上下両端に連結された水平状の取付用ブラケット８２、８３と、遮蔽体３０の引出時に遮蔽体８０の戸先側を支持する上下の水平状の取付用ブラケット８４、８５と、を備えている。
【００２２】
図４は、本発明の取付構造により開口枠に取り付けられた横引きロールブラインドの斜視図であり、図５は、分解斜視図である。図５において、サッシ窓７の周縁には、上側の水平片７０（図３の水平片５０に対応する部材である）、下側の水平片７１、左右の垂直片７２、７３を備えたサッシ枠が図示されている。既設のサッシ枠は、四周枠状に組まれた開口枠に、開口枠の長さ方向に沿って間隔を存して配置した複数の螺子３を用いて取り付けられている。ベースフレームを構成する第１部材１、第２部材２は、サッシ枠を開口枠に固定する螺子３を兼用してサッシ枠の内側面に固定される。また、図４において、本実施形態の構成を明瞭に図示するべく、上側および左右のサッシ枠（上側の水平片７０、左右の垂直片７２、７３）を省略して示している点に留意されたい。同様に、図４、図５において、本実施形態の構成を明瞭に図示するべく、開口枠を省略して示している点に留意されたい。開口枠については、図７において、斜線を付した部分４Ａとして示している。
【００２３】
横引きロールブラインド８の取付用ブラケット８２、８３、８４、８５の取付について、取付用ブラケット８２を代表として図６、図７に基づいて説明する。取付用ブラケット８２についての以下の記載は、取付用ブラケット８３、８４、８５の説明として援用することができる。取付用ブラケット８２は、平面視直角三角形状を有し、１つの頂点に位置して巻取体８１の上端が連結されており、当該頂点に対向する辺が段部１２の水平片１２１と第２部材の水平片２１との間に形成された空間Ｓ内に挿入されており、かつ、当該辺に沿って３つの挿通孔８２０が形成されている。
【００２４】
取付用ブラケット８２を空間Ｓに挿入した状態において、取付用ブラケット８２の上端面が第２部材２の水平片２１の下面に当接し、取付用ブラケット８２の下端面が段部１２の水平片１２１の上面に当接しており、取付用ブラケット８２は、段部１２の水平片１２１と第２部材２の水平片２１との間に挟持されている。したがって、取付用ブラケット８２は、ガタが無い状態で空間Ｓに受け入れられている。
【００２５】
第２部材２の水平片２１には長さ方向に沿って３つの螺子孔２１０が形成されており、取付用ブラケット８２の３つの挿通孔８２０を第２部材の水平片２１の螺子孔２１０にそれぞれ一致させて、段部１２の水平片１２１のスリット１００から３本の螺子８２１を螺入させて、螺子８２１を第２部材２の水平片２１の螺子孔２１０に螺合させる。こうすることで、取付用ブラケット８２を挟持した段部１２と第２部材とを一体化する。また、この状態において、螺子８２１の軸部の先端は、第２部材２の水平片２１の厚さ内に納まっており、第２部材２の水平片２１の上面から上方に突出することがないようになっている。したがって、螺子８２１が開口枠に傷を付けるようなことがない。
【００２６】
横引きロールブラインド８の取り付けについて説明する。４本の第１部材１と、４本の第２部材２を用意する。サッシ枠（上側の水平片７０、下側の水平片７１、左右の垂直片７２、７３）を四周枠状の開口枠に取り付けている螺子を取り外しておく。第１部材１と第２部材２とを、四周枠状の開口枠の四隅に空間Ｓを形成するように、螺子３を用いて、サッシ枠（上側の水平片７０、下側の水平片７１、左右の垂直片７２、７３）と共に開口枠に固定する。各空間Ｓに取付用ブラケット８２、８３、８４、８５を挿入する。各取付用ブラケット８２、８３、８４、８５の３つの挿通孔を第２部材の水平片２１の３つの螺子孔にそれぞれ一致させて、３本の螺子を用いて、段部１２の水平片１２１と第２部材２の水平片２１とを、その間に各取付用ブラケット８２、８３、８４、８５を挟持した状態で固定する。遮蔽体８０の巻取体８１の上下端部は取付用ブラケット８２、８３に支持されており、遮蔽体８０を横方向に引き出して開口部を遮蔽することができる。
【００２７】
次に、本発明の取付構造を用いてロールブラインド９を後付けする場合について、図１０、図１１に基づいて詳細に説明する。ロールブラインド９は、遮蔽体９０と、収納時に遮蔽体９０を巻装する巻取体９１と、巻取体９１を収納する収納ボックス９２と、収納ボックス９２の長さ方向の両端に突設した直方体状の取付用ブラケット９３、９４と、を備えている。
【００２８】
取付用ブラケット９３、９４と取付用ブラケット８２とは形状が異なるものの、基本的な構成は同じである。取付用ブラケット９３には、長さ方向に沿って３つの挿通孔９３０が形成されている。取付用ブラケット９３を空間Ｓに挿入した状態において、取付用ブラケット９３の上端面が第２部材２の水平片２１の下面に当接し、取付用ブラケット９３の下端面が段部１２の水平片１２１の上面に当接しており、取付用ブラケット９３は、段部１２の水平片１２１と第２部材２の水平片２１との間に挟持されている。したがって、取付用ブラケット９３は、ガタが無い状態で空間Ｓに受け入れられている。
【００２９】
第２部材２の水平片２１には長さ方向に沿って３つの螺子孔２１０が形成されており、取付用ブラケット９３の３つの挿通孔９３０を第２部材の水平片２１の螺子孔２１０にそれぞれ一致させて、段部１２の水平片１２１のスリット１００から３本の螺子９３１を螺入させて、螺子９３１を第２部材の水平片２１の螺子孔２１０に螺合させる。こうすることで、取付用ブラケット９３を挟持した段部１２と第２部材とを一体化する。また、この状態において、螺子９３１の軸部の先端は、第２部材２の水平片２１の厚さ内に納まっており、第２部材２の水平片２１の上面から上方に突出することがないようになっている。したがって、螺子９３１が開口枠に傷を付けるようなことがない。以上の記載は、取付用ブラケット９４の説明に援用することができる。
【００３０】
ロールブラインド９の取り付けについて説明する。２本の第１部材１と、２本の第２部材２を用意する。サッシ枠（上側の水平片７０、左右の垂直片７２、７３）を四周枠状の開口枠に取り付けている螺子を取り外しておく。第１部材１と第２部材２とを、四周枠状の開口枠の上側の左右の隅部に空間Ｓを形成するように、螺子３を用いて、サッシ枠（上側の水平片７０、左右の垂直片７２、７３）と共に開口枠に固定する。各空間Ｓに取付用ブラケット９３、９４を挿入する。各取付用ブラケット９３、９４の３つの挿通孔を第２部材２の水平片２１の３つの螺子孔にそれぞれ一致させて、３本の螺子を用いて、段部１２の水平片１２１と第２部材２の水平片２１とを、その間に各取付用ブラケット９３、９４を挟持した状態で固定する。遮蔽体９０の巻取体９１を収納する収納ボックス９２の左右両端部は取付用ブラケット９３、９４に支持されており、遮蔽体９０を下方に引き出して開口部を遮蔽することができる。
【００３１】
図１２は、ベースフレームを構成する第２部材の他の実施形態を示す図である。既述の実施形態では、第２部材２は、垂直片２０と水平片２１とから形成されているが、図１２に示す実施形態では、第２部材２´は、水平片２１´のみから形成されている。さらに、水平片２１´には、水平片２１における長孔２００を有しておらず、水平片２１´は、段部１２の水平片１２１とブラケット８２と水平片２１´とを固定する螺子８２１によって開口枠に圧接される。ベースフレーム（第１部材１と第２部材２´）及びブラケット８２を開口枠に取り付ける際には、予め水平片１２１とブラケット８２と水平片２１´とを螺子８２１で組み立てておくと、作業性が良好である。既述の実施形態と同一の他の構成要素については同一の参照番号が付してあり、これらの構成要素の説明として、既述の記載を援用することができる。
【産業上の利用可能性】
【００３２】
本発明は、窓開口部にブラインドや網戸等の遮蔽装置を後付けする場合の取付構造として利用することができる。
【図面の簡単な説明】
【００３３】
【図１】（Ａ）はサッシ窓の正面図、（Ｂ）はベースフレームの正面組立図である。
【図２】左図は、ベースフレームを開口枠に取り付けた図、右図は、ベースフレームを構成する第１部材及び第２部材の斜視図である。
【図３】窓開口部の部分縦断面図である。
【図４】本発明の取付構造により開口枠に取り付けられた横引きロールブラインドの斜視図である。
【図５】本発明の取付構造により開口枠に取り付けられた横引きロールブラインド分解斜視図である。
【図６】図４の部分拡大図であり、取付用ブラケットの取り付けを説明する図である。
【図７】図８の左上隅部に対応する断面図である。
【図８】ベースフレームを開口枠に取り付けた正面図であって、横引きロールブラインドの構成要素として取付用ブラケットのみ示してある。
【図９】横引きロールブラインドの取り付けを説明する図である。
【図１０】本発明の取付構造により開口枠に取り付けられるロールブラインドの分解斜視図である。
【図１１】ロールブラインドの取り付けを説明する図である。
【図１２】ベースフレームを構成する第２部材の他の実施形態を示す図である。
【符号の説明】
【００３４】
１  第１部材
１２  段部
１２１  水平片
２  第２部材
２１  水平片
Ｓ  空間
３  螺子
８２、８３、８４、８５  取付用ブラケット
９３、９４  取付用ブラケット
【図１】
2010077730.tif 000003
【図２】
2010077730.tif 000004
【図３】
2010077730.tif 000005
【図４】
2010077730.tif 000006
【図５】
2010077730.tif 000007
【図６】
2010077730.tif 000008
【図７】
2010077730.tif 000009
【図８】
2010077730.tif 000010
【図９】
2010077730.tif 000011
【図１０】
2010077730.tif 000012
【図１１】
2010077730.tif 000013
【図１２】
2010077730.tif 000014